【事件の表示】
　特許第３１６０７０５号「増大された水のｐＨ上昇特性及び金属イオン吸着特性を有する電気石含有セラミック焼成品の製法」の請求項１に係る特許に対する特許異議の申立てについて、次のとおり決定する。
【結　論】
　特許第３１６０７０５号の請求項１に係る特許を維持する。
【理　由】
　１．手続の経緯
　特許第３１６０７０５号の請求項１に係る発明は、平成７年１２月１５日に特許出願され、平成１３年２月２３日に特許の設定登録がなされたものである。
　これに対し、その後特許異議の申立てがなされ、取消理由通知がなされ、指定期間内に意見書が提出されたものである。
２．特許異議申立について
（１）本件発明
　請求項１に係る発明（以下、「本件発明」という）は、本件特許明細書の特許請求の範囲に記載された事項により特定される次のとおりのものである。
「【請求項１】増大された水のｐＨ上昇特性及び金属イオン吸着特性を有する電気石含有セラミック焼成品を製造する方法において、粒径10μ以下を有する電気石粉末及びスメクタイト粉末を混合し、成形後、750℃以下の温度で焼成することを特徴とする、増大された水のｐＨ上昇特性及び金属イオン吸着特性を有する電気石含有セラミック焼成品の製法。」　
（２）申立の理由の概要
　特許異議申立人フロー工業株式会社は、証拠方法として、甲第１号証（特開平５−６４７８７号公報）、甲第２号証（特開平５−２２０４８６号公報）、甲第３号証（特開平７−２４４４４号公報）、甲第４号証（特開平７−５１６６４号公報）、甲第５号証（特公平７−３８９８７号公報）、甲第６号証（特開平６−２６８２８２号公報）、甲第７号証（特開平７−９７２８０号公報）、甲第８号証（特開平６−４８７２４号公報）、甲第９号証（特開平７−２４７１５５号公報）及び甲第１０号証（特開平７−６０２７９号公報）を提出し、本件発明の特許は、甲第１〜１０号証に記載された発明であるか（特許異議申立人は、同一であるとする証拠を特定していないので、このように認定した）、又はこれら証拠に記載された発明から当業者が容易に発明をすることができたものであるから、特許法第２９条第１項第３号又は同条第２項の規定に違反してされたものであり、取り消されるべきであると主張している。
（３）証拠の記載内容
　甲第１〜１０号証には、それぞれ以下の事項が記載されている。
甲第１号証：特開平５−６４７８７号公報
ア.「【００１４】まず、電気石粒状物１０がある。これは、電気石の微細粉状物１１をセラミックの電気絶縁物微細粉末１２に混合して粒状物に形成し、それを焼結したものである。つぎに、以下の小型通水器２０がある。これは、上記の電気石粒状物１０の集合体を収納するものである。」
イ.「【００２７】水中に溶解する恐れのある鉛、亜鉛、その他その量によっては身体に有害な重金属イオンは電気石の電極（負極）に電着させ水から除去される。水にとけている鉄イオンも同様である。さらに、この活水器は、水の味をよくすること、重金属イオンを除去すること以外に、つぎのような従来の浄水器にない大きな機能を有する。すなわち、その第１に、通水した水の中の塩素は減少せず殺菌力が維持されるので活水器間の残り水、付着した水における汚染や腐敗はない。つぎに、通水した水の保持も水道水と同じである。活性炭方式のものは塩素が除去される結果もちは悪い。」
ウ.「まず、ペレットに混合される電気石微細結晶は平均３〜５ミクロン（最大１０ミクロン）のものである。」（【００１８】）
甲第２号証：特開平５−２２０４８６号公報
ア.「【００１４】しかして、上記の電気石粒状物１０は、図３に示すその１粒の拡大図のごとくに、電気石の微粉末１１に電気絶縁物の微粉末１２を混合し、耐水性に造粒したものである。」
イ.「【００１５】すなわち、この電気石使用の洗濯用球形浮遊活水器は、その洗濯槽の中の水の渦の中心部に吸引され、その浮遊体によってその水の中を浮遊しその水をまんべんなく活性化する。」
甲第３号証：特開平７−２４４４４号公報
ア.「【請求項５】直径 0.3 〜５ミクロン程度特に0.5〜３ミクロン程度の電気石微細粉末、該電気石微細粉末を担持するものであって且つプラスチックやゴム等の高電気絶縁性物質にカーボンブラックやグラファイトや金属等の良電導性粉末を混合することにより成る電気石担持物で且つその直流体積電気抵抗の値が１０4Ω・cm 〜１０８Ω・cm 程度特に１０５Ω・cm 〜１０７Ω・cm 程度の電気石担持物、該電気石担持物を収納するものであって且つシャワーヘッドとそのシャワーホースの間あるいはそのシャワーホースとそのシャワーホース取付用蛇口との間とに接続し通水させるハウジング、より構成されることを特徴としたシャワーに取付用の電気石担持物入りアダプター。」
イ.「【００４７】【発明の効果】 本発明にかかるシャワーに取付用の電気石担持物入りアダプターとカートリッジは、以上のごとくになしたゆえに以下のごとき多大な効果が生じた。すなわち水道水（温冷水）がこのアダプター内の電気石担持物に通水されて、シャワーヘッドから放水される。その水は、電気石の電極のもつ微少電圧による電気分解によって界面活性をもつ水になる。そこで、髪や肌を洗う水として次のような効果が生じる。」
甲第４号証：特開平７−５１６６４号公報
ア.「【請求項１】直径 0.3〜５ミクロン程度特に 0.5〜３ミクロン程度の電気石微細粉末、該電気石微細粉末を担持するものであってその直流電気抵抗（体積抵抗を言う。以下同じ）の値が１０４Ω・cm〜１０８Ω・cm 程度特に１０５Ω・cm〜１０７Ω・cm 程度の担持物、該担持物を収納したものであってその内外の筒からの水は通すが上記の担持物は流失させない多孔二重筒容器、より構成されることを特徴とした電気石担持物を収納した浸漬型多孔二重筒容器による水の界面活性化手段。」
イ.「【発明の効果】本発明にかかる電気石担持物を収納した浸漬型多孔二重筒容器による水の界面活性化手段は、以上のごとくになしたゆえに以下のごとき多大な効果が生じた。すなわち、大型の電気石利用の界面活性装置の場合の通水性の悪化を二重の筒にすることによって、それに使用する電気石担持物の量を減らさないで層を非常に薄くすることができた。これによって、中の筒の細孔から電気石担持物の層に入った水がその電気石担持物の薄い層を容易に通過して、外の筒の細孔から出て行く、あるいはその逆とか、さらにはその両者の繰り返し等で、水がきわめて容易に電気石担持物に接触できその界面活性効果が非常に上がった。」
甲第５号証：特公平７−３８９８７号公報
ア.「【請求項2】電気石の微粉末と互いに誘電率の異なる複数のセラミックの粉を混合して造粒焼結した粒状物の集合体、該粒状物の集合体を入れるものであって上記の粒状物は流通させない水の流通孔を有した容器、下記の電気石の微粉末を主成分とした粒状物の集合体より構成されることを特徴とした電気石を用いた水の界面活性化装置。」
甲第６号証：特開平６−２６８２８２号公報
ア.「【請求項５】直径 0.3 〜５ミクロン程度特に0.5または３ミクロン程度の電気石結晶微細粉末、該電気石結晶微細粉末を担持するものであってプラスチックやゴム等の高電気絶縁性物質にブラックカーボンやグラファイトや金属等の電気良導性粉末を混合することにより成る担持物で且つその直流電気抵抗値が１０４ Ω・cm 〜１０８ Ω・cm 程度特に１０５〜１０７ Ω・cm 程度の担持物、より構成されることを特徴とした電気石利用の永久電極担持物。」
甲第７号証：特開平７−９７２８０号公報
ア.「【請求項１】（１）内部連通空間を有する三次元網状骨格構造の複数の合成樹脂発泡体それぞれをセラミック泥漿に浸漬してそれぞれの合成樹脂発泡体にセラミック泥漿を付着させ、
（２）それぞれの合成樹脂発泡体から余剰泥漿を除去し、
（３）余剰泥漿を除去したそれぞれのセラミック泥漿付着合成樹脂発泡体相互の所定面を合わせて積層し、
（４）この積層物を乾燥し、焼成して、三次元網状骨格構造のセラミック多孔体積層物を製造するに際し、上記セラミック泥漿付着合成樹脂発泡体相互間を接着剤成分として粘土鉱物をセラミック固形分の５〜３０重量％含有し、かつ水分量が１５〜２５重量％に調整されたセラミック接着剤により接着、積層したことを特徴とするセラミック多孔体の製造方法。」
イ.「【０００１】【産業上の利用分野】本発明は、溶融金属ろ過材、通気性断熱材、厨房用グリスフィルター、触媒担体などに好適に用いられ、通気・通液抵抗の少ない厚みのあるセラミック多孔体積層体を製造する方法に関する。」
甲第８号証：特開平６−４８７２４号公報
ア.「【請求項１】高い結晶性及び熱安定性を有し、約２０〜２２Åの層間隔を有するジルコニア柱状粘土の製造方法であって、次のステップを含むもの：
　（ａ）スメクタイト粘土及びフルオロマイカからなる群れから選ばれる粘土を酢酸ジルコニルの溶液と、柱状粘土生成物を形成するのに充分な時間及び温度で混合し；
　（ｂ）前記溶液から形成された前記柱状粘土生成物を分離し；
　（ｃ）前記分離された柱状粘土生成物を水で洗浄し；
　（ｄ）前記分離され、洗浄された柱状粘土生成物を約５０〜２００℃で乾燥し；
　（ｅ）前記乾燥された粘土生成物を約３００〜７００℃で焼成する。」
甲第９号証：特開平７−２４７１５５号公報
ア.「【請求項３】粘土鉱物と、粘土鉱物に対して、０．５〜４０重量％の量のアルカリ金属、アルカリ土類金属、両性金属及び遷移金属の炭酸塩、ペルオクソ炭酸塩、炭酸水素塩、水酸化物、硝酸塩、ペルオクソ硝酸塩、リン酸塩、リン酸水素塩、リン酸二水素塩、ペルオクソリン酸塩、硫酸塩、ペルオクソ硫酸塩、硫酸水素塩、臭化物及び塩化物並びに過酸化水素から選ばれた少なくとも一種の化合物との混練物又は過酸化水素を０．５〜１０重量％含有した粘土鉱物を５００℃〜８００℃の温度で焼結した焼結組成物で処理した水から成る無機塩の結晶構造偏向性能を有する調製水。」
イ.「【０００１】【産業上の利用分野】本発明は、焼結組成物に関し、浄水用又は防錆用等に使用される焼結組成物に関する。」
甲第１０号証：特開平７−６０２７９号公報
ア.「【請求項１】ワラストナイト（Ｗｏｌｌａｓｔｏｎｉｔｅ）及びアノーサイト（Ａｎｏｒｔｈｉｔｅ）を少なくとも含有しているセラミックス成形物からなる水処理材。」
イ.「【０００１】【産業上の利用分野】本発明は、水処理材、特に鑑賞魚槽、水族館又は水生植物用の水槽もしくは養殖場に張られる水を浄化処理するための、又は同水のｐＨの変動を一定の範囲内に維持する水処理材、水道水用の▲ろ▼過装置に充填される水処理材及びその水処理材を製造するための方法に関するものである。」
（４）対比・判断
　　甲第１号証には、「電気石の微細粉状物１１をセラミックの電気絶縁物微細粉末１２に混合して粒状物に形成し、それを焼結したものである。つぎに、以下の小型通水器２０がある。これは、上記の電気石粒状物１０の集合体を収納するものである。」と記載され、電気石の大きさも最大１０μと記載されているから、「電気石含有セラミック焼成品を製造する方法において、粒径１０μ以下の微細粉の電気石粉末及びセラミックの電気絶縁物微細粉末を混合し、成形後、焼成する電気石含有セラミック焼成品の製法」の発明（以下、「甲１発明」という）が記載されていると云える。　
　そこで、本件発明と甲１発明とを対比すると、両者は、「粒径１０μ以下の電気石の微細粉状物とセラミックの無機物を混合して粒状物に成形し、その後焼結してなる電気石含有セラミック焼成品の製法」という点で一致し、少なくとも以下の点で相違していると云える。
相違点１：本件発明では、無機物がスメクタイト粉末であるのに対し、甲１発明では、セラミックの電気絶縁物微細粉末である点。
相違点２：本件発明では、７５０℃以下の温度で焼成するのに対し、甲１発明では、その焼成温度が明らかでない点。
　次に、これら相違点につき甲第２〜６号証を検討すると、甲第２号証には、電気石微細粉末に電気絶縁物の微粉末を混合し、耐水性に造粒したものが洗濯槽内の水を活性化することが記載されているが、前記相違点の特に「スメクタイト粉末」については、何ら記載も示唆もない。
　また、甲第３〜６号証にも、電気石微細粉末と電気石担持物を粒状に成形したものが水を活性化すると記載されているだけであり、前記相違点については、何ら記載も示唆もない。
　さらに甲第７〜１０号証を検討すると、甲第７号証には、ろ過材等の用途を有するセラミック多孔体積層物を製造する際に粘土鉱物が接着剤として使用することが、また、スメクタイト粉末について唯一記載のある甲第８号証には、スメクタイト粘土を出発原料とするジルコニア柱状粘土の製造方法がそれぞれ記載されているだけであり、特に甲第８号証にはスメクタイトを水の改質のための材料として使用することについては何ら示唆されていないから、前記相違点については、何ら記載も示唆もないと云うべきである。甲第９号証には、アルカリ金属等の化合物と粘土鉱物の混合物の焼結体からなる水処理材が、甲第１０号証には、ワラストナイト及びアノーサイトを含有する成形物からなる水処理材が、それぞれ記載されているだけであり、前記相違点についての記載も示唆もない。
　そして、本件発明は、前記相違点によって、水のｐＨを上昇させ、さらに、金属イオン吸着特性を増大させるという甲第１〜１０号証の記載から予測できない特許明細書に記載のとおりの効果を奏するものである。
　してみると、本件発明は、甲第１〜１０号証に記載された発明とすることはできないし、またこれらの発明に基づいて当業者が容易に発明をすることができたものともすることができない。
３．むすび
　以上のとおり、本件請求項１に係る発明の特許は、特許異議申立の理由及び証拠方法によっては、取り消すことができない。 
　また、他に本件発明の特許を取り消すべき理由を発見しない。
  よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年５月１日（２００２．５．１）